(57)【要約】      （修正有）【課題】屋内外において同じ車椅子を利用することが少なくないことから、車椅子に座ったままで介助者が簡単に駆動輪を空転させ、汚れをふき取ることが出来る車椅子用の多目的スタンドを提供する。【解決手段】基台１と持ち上げ棒３、持ち上げハンドルから構成する。基台１の床面との接触面を支点、持ち上げ棒と車椅子車体後部フレームとの接触面を作用点、手または足での操作力を受ける持ち上げハンドルを力点とする梃子の作用により、車椅子車体後部フレームを、駆動輪１４を空転させるに充分な高さに浮かせる構造として車椅子用の多目的スタンドを構成する。【選択図】図４
0003167462.tif 000002
【実用新案登録請求の範囲】
【請求項１】
車椅子のフレームを利用し、梃子の作用にて車体後部を持ち上げることで、車椅子の駆動輪（主輪）を浮かせ空転させることができる車椅子用スタンド。
【請求項２】
車椅子のフレームの高さに合わせ、梃子の作用点の高さを調整できる車椅子用スタンド。
【請求項３】
梃子の作用点と車椅子フレームの装着状態が自律的に保持される機構を有する車椅子用スタンド。
【考案の詳細な説明】
【技術分野】
【０００１】  本考案は、車椅子の駆動輪（主輪）を浮かせ空転させることができる車椅子用スタンドに関する。
【背景技術】
【０００２】  従来、屋外で走行した車椅子で屋内に乗り込む際の、屋内床の汚濁や傷を防止する策として、車椅子車輪形状に合わせ縫製された車椅子車輪カバーで汚れた車輪を覆う用具が用いられてきた。（例えば非特許文献１参照）【０００２】  また、動力で回転するローラー兼ブラシと洗浄液を有する装置に車椅子を載せ、車椅子車輪の汚濁を取り除く装置の開発がなされた。（例えば特許文献１参照）
【特許文献１】特許公開２００４−１７７３３号
【非特許文献１】「せいかつサポートカタログ  ＶＯＬ．９」，ヤマシタコーポレーション，２００７年，ｐ．１０１
【考案の開示】
【考案が解決しようとする課題】
【０００３】  しかしながら、車輪カバーは装着に慣れと手間を要し、また走行性等車椅子の基本性能を著しく低下させる欠点があり、またローラー兼ブラシを有する装置は総じて大型であり、車椅子使用家庭への普及は進んでいない。【０００４】  そうした現状の中、車椅子車輪の汚濁除去については、複数の車椅子を屋外、屋内で乗り換える、屋外から屋内に入る際乗車者が一度下車し（または乗車者を乗せたまま）車椅子を人力により持ち上げて車輪の清掃を実施する、床に敷いたマットの上を何度も往復走行するなどの方法がとられている。【０００５】  この結果、介助者の時間的身体的負担が大きく、腰痛などの問題が顕在化しているのみでなく、車椅子使用者の外出など社会参加の機会を制限する要因とも考えられる。【０００６】  本考案は、このような従来の車椅子使用者及び介助者の抱える課題を解決しようとするものであり、簡易な構造で容易に車椅子の駆動輪（主輪）を浮かせ、空転を可能とすることで車椅子車輪の汚濁除去を実施し易くすることを目的とする。【０００７】  また、本考案が容易に車椅子の駆動輪（主輪）を浮かせ空転させることを可能とするものであることから、車椅子車輪の交換、車椅子の修理、調整に寄与するものである。
【課題を解決するための手段】
【０００８】  以上の課題を解決するために、第一考案は、車椅子を構成するフレームを利用し、床面を支点、車椅子フレーム作用点とし、適切な位置に力点を設けた梃子の作用により車椅子車体後部フレームを、駆動輪（主輪）を空転させるに充分な高さに浮かせる構造を有する車椅子用の多目的スタンドである。【０００９】  また車椅子フレームの高さは機種により相違があることから、第二考案は支点と作用点の位置関係（作用点の床からの高さ）を適宜調整できる構造を有することである。【００１０】  さらに第三考案として、上記構造を有する梃子を車椅子フレームに装着した後、介助者が力をかけやすい体勢に移行するまでの間、この構造体から両手を離しても適切な位置を保ち、かつ、力点に力をかけている間も、この構造体とフレーム、および床面の間に適切な摩擦を発生させる形状を実現することにより、容易に操作できるという特徴を持つものである。
【考案の効果】
【００１１】  これらの考案によれば、容易に車椅子の駆動輪（主輪）を浮かせ、空転させることが可能となり、車椅子車輪の汚濁除去を実施し易くするとともに、車椅子車輪の交換、車椅子の修理、調整の際の利便性を提供できる。
【考案を実施するための最良の形態】
【００１２】  以下、本考案の実施の形態を図１から図８に基づいて説明する。【００１３】  図１、図２においては、梃子の支点となる基台１が、車椅子フレーム１５を持ち上げる持ち上げ棒３に、高さ調整台２を介して接続されている。持ち上げ棒３は円形の断面を持ち、その直径より若干大きめに開けられた高さ調整台２の穴に通されるのみで固定はされず、自在に回転する。【００１４】  基台１と高さ調整台２は固定ボルト７で強固に固定されている。持ち上げ棒３の高さ調節については、この固定ボルト７を外し、基台１に開けられた複数の高さ調節穴８から適切な高さになる組を選択し、固定しなおすことで実現を可能としている。【００１５】  持ち上げ棒３は、スプリングピン５を介してフレーム支持棒４と接続されており、持ち上げ棒３とフレーム支持棒４は常に挟み込む方向の力が作用している。【００１６】  持ち上げ棒３の車椅子フレーム１５と接する面には、持ち上げ棒滑り止め６が貼り付けられ、また基台１の床と接する面には基台滑り止め１０が貼り付けられている。【００１７】  基台１は左右一対からなり、基台接続板１１により強固に固定され、ねじれやゆがみのない構造体となっている。【００１８】  高さ調整台２は左右一対からなり、高さ調節台接続板９により強固に固定され、ねじれやゆがみのない構造体となっている。この高さ調節台接続板９は、梃子の力点となる部分であり、介助者の足での操作のほか、手での操作も考慮し、持ち上げハンドル１２を設けている。【００１９】  以下、上記構成の動作の一形態を図３から図５において説明する。図には乗車者は無いが通常は乗車形態で動作が行なわれるものである。【００２０】  駆動輪が接地状態の車椅子の後方から本考案のスタンドを図３のような角度で挿入、持ち上げ棒３とフレーム支持棒４の間に車椅子フレーム後部の突起したパイプ（日本工業規格による名称は「ティッピングレバー」）を挟み込む。スプリングピン５の効果により、本スタンドはこの位置で自律的に保持される。【００２１】  操作者（介助者）は、両手で車椅子ハンドル１６を把持し、片足を高さ調節台接続板９に乗せた後、車椅子ハンドル１６を手前に引き、高さ調節台接続板９に乗せた足を踏み込む要領により車椅子フレーム１５を持ち上げ、駆動輪（主輪）を浮かせる。【００２２】  乗車者の体重、介助者の腕力等諸条件によっては、介助者は立位になることなく、高さ調節台接続板９に設けた持ち上げハンドル１２を手で押し下げることにより同様の効果を得ることができる。【００２３】  このとき、持ち上げ棒滑り止め６及び基台滑り止め１０の効果によって、本スタンドは安定した動作で効果を発揮する。【００２４】  車椅子の駆動輪を接地状態に戻すには、操作者（介助者）が両手で車椅子ハンドル１６をゆっくりと押し出す、又は高さ調節台接続板９に設けた持ち上げハンドル１２をゆっくりと持ち上げることにより行なう。【００２５】  持ち上げ棒３の高さ調節方法の詳細について図６、図７において説明する。図６は基台１の側面を示し、図のように高さ調節穴８ａから８ｆが設けられている。図７は高さ調整台２の側面を示し、図のように固定穴１２ａ，１２ｂが設けられている。【００２６】  高さ調整台２の固定穴１２ａは、基台１の高さ調節穴８ａ又は８ｂのどちらかに固定される。高さ調整台２の固定穴１２ｂは、１２ａと８ａの組み合わせの場合は８ｅ又は８ｆに、１２ａと８ｂの組み合わせの場合は８ｃ又は８ｄに割り当てられ、各々異なった高さの持ち上げ棒３を得られるよう配置されている。
【図面の簡単な説明】
【００２７】
【図１】  この考案の実施形態を示す車いす用多目的スタンドの斜め上からの斜視図である。
【図２】  この考案の実施形態を示す車いす用多目的スタンドの斜め下からの斜視図である。
【図３】  この考案の動作の初期段階を示す側面から見た図である。
【図４】  この考案の動作の中期段階を示す側面から見た図である。
【図５】  この考案の動作の後期段階を示す側面から見た図である。
【図６】  基台及び高さ調節穴の詳細を示す側面から見た図である。
【図７】  高さ調節台及び固定穴の詳細を示す側面から見た図である。
【図８】  基台及び高さ調節台の組み合わせを側面から示した図である。
【図９】  持ち上げ棒及びフレーム支持棒とスプリングピンの構成を示す側面から見た図である。
【符号の説明】
【００２８】  １    基台
２    高さ調節台
３    持ち上げ棒
４    フレーム支持棒
５    スプリングピン
５ａ  樹脂ナット
５ｂ  ワッシャー
５ｃ  スプリング
５ｄ  ボルト
６    持ち上げ棒滑り止め
７    固定ボルト
８    基台高さ調節穴（８ａ〜８ｆ）
９    高さ調節台接続板
１０    基台滑り止め
１１    基台接続板
１２    持ち上げハンドル
１３    車椅子
１４    駆動輪（主輪）
１５    車椅子フレーム
１６    車椅子ハンドル
【図１】
0003167462.tif 000003
【図２】
0003167462.tif 000004
【図３】
0003167462.tif 000005
【図４】
0003167462.tif 000006
【図５】
0003167462.tif 000007
【図６】
0003167462.tif 000008
【図７】
0003167462.tif 000009
【図８】
0003167462.tif 000010
【図９】
0003167462.tif 000011
【手続補正書】
【提出日】平成23年1月30日(2011.1.30)
【手続補正１】
【補正対象書類名】実用新案登録請求の範囲
【補正対象項目名】全文
【補正方法】変更
【補正の内容】
【実用新案登録請求の範囲】
【請求項１】
基台と持ち上げ棒、持ち上げハンドルから構成され、基台の床面との接触面を支点、持ち上げ棒と車椅子車体後部フレームとの接触面を作用点、手または足での操作力を受ける持ち上げハンドルを力点とする梃子の作用により、車椅子車体後部フレームを、駆動輪を空転させるに充分な高さに浮かせる構造を有する車椅子用の多目的スタンド。
【請求項２】
基台と持ち上げ棒は高さ調整台を介して接続固定され、基台と高さ調節台の取り付け角度を適宜選択変更できる機構とすることにより、持ち上げ棒の高さを車椅子車体後部フレーム高さに合わせて調整できる構造を有することを特徴とする請求項１の車椅子用の多目的スタンド。